(57)【要約】【課題】  本発明は、摩擦に対する染色堅牢度試験方法（ＪＩＳＬ０８４９）に規定されている摩擦試験機にもとづき、繊維の色落ちの検査を行う小型の簡易摩擦染色堅牢度試験装置を提供する。【解決手段】  簡易摩擦染色堅牢度試験装置は、現場での作業性を考慮し、小型化をするために、形状を円形にしたので、本発明は、ハンドル（１）、カウンター（２）、ハンドル伝達用ギヤ（３）、摩擦子回転同調用ギヤ（４）、スプリング（５）、摩擦子（６）、ケース（７）、試験片台（８）、耐水研磨紙（９）で構成したことが特徴の簡易摩擦染色堅牢度試験装置。【選択図】図１
2009282002.tif 000002
【特許請求の範囲】
【請求項１】
簡易摩擦染色堅牢度試験装置は、現場での作業性を考慮し、小型化をするために、形状を円形にして、ハンドル（１）、カウンター（２）、ハンドル伝達用ギヤ（３）、摩擦子回転同調用ギヤ（４）、スプリング（５）、摩擦子（６）、ケース（７）、試験片台（８）、耐水研磨紙（９）で構成したことが特徴の簡易摩擦染色堅牢度試験装置。
【発明の詳細な説明】
【技術分野】
【０００１】本発明は、摩擦に対する染色堅牢度試験方法（ＪＩＳＬ０８４９）に規定されている摩擦試験機にもとづき、繊維の色落ちの検査を行う小型の簡易摩擦染色堅牢度試験装置に関するものである。
【背景技術】
【０００２】従来、染色された繊維構造物が他の繊維構造物等と擦れ合った場合に、染色された繊維構造物の色が他の繊維構造物等に付くということがあった。
このため、染色された繊維構造物の摩擦に対する染色堅牢度を試験することが行なわれていた。
ここで、染色された繊維構造物の摩擦に対する染色堅牢度の試験は、一般に日本工業規格（ＪＩＳ  Ｌ０８４９）に規定される摩擦に対する染色堅牢度試験方法が行なわれていた。
ここで、ＪＩＳ  Ｌ０８４９に規定された摩擦に対する染色堅牢度試験方法においては、摩擦試験機が使用されていた。
一般には、染色された繊維構造物を試験片台上に取り付け、染色された繊維構造物を摩擦する摩擦子に標準状態（温度２０±２℃、相対湿度６５±２％）、または、約１００％湿潤状態にした摩擦用布を取り付け、試験片台を往復走行させて、摩擦用布により染色された繊維構造物を反復摩擦し、繊維構造物の摩擦に対する染色堅牢度を試験するようにしていた。
【発明の開示】
【発明が解決しようとする課題】
【０００３】従来より以下のような問題点があった。
通常、試験をするときは、摩擦試験装置を用いて、試験片と摩擦用白綿布とを互いに摩擦し、摩擦用白綿布の着色の程度を汚染用グレースケールと比較する方法であった。
摩擦試験機は、試験片台、耐水研磨紙、摩擦子、荷重腕、水平往復運動装置からなり、試験片を試験片台の上に取り付けていた。
摩擦用白綿布を摩擦子の先端に取り付け、９ニュートンの荷重で、試験片の中央部１０ｃｍの間を、１０秒間に平均的に１０往復摩擦を行っていた。
試験片が布の場合は、縦方向、および横方向の試験片において、それぞれ試験を行っていた。
往復走行させて、試験をするために、試験装置が大型になっていた。
試験装置を設置するために、広い場所が必要であった。
本発明は、以上の問題点を解決するためになされたものである。
【課題を解決するための手段】
【０００４】簡易摩擦染色堅牢度試験装置は、現場での作業性を考慮し、小型化をするために、形状を円形にして、ハンドル（１）、カウンター（２）、ハンドル伝達用ギヤ（３）、摩擦子回転同調用ギヤ（４）、スプリング（５）、摩擦子（６）、ケース（７）、試験片台（８）、耐水研磨紙（９）で構成した。
本発明は以上のように構成された簡易摩擦染色堅牢度試験装置である。
本発明の簡易摩擦染色堅牢度試験装置は、水平運動を円運動に変えることにより、摩擦子（６）が半径１．５９ｃｍの円周を一周すると、移動距離は１０ｃｍとなり、同じ効果が得られる。
なお、そのまま回転すると、摩擦子（６）が回転をしてしまうため摩擦子（６）は中心に向かって回転しない構造にした。
そして、摩擦子（６）が試験片（１０）に対して、円運動をして摩擦するため、縦および横の試験を同時に行うことができる。
【発明の効果】
【０００５】摩擦子が試験片に対して、円運動をして摩擦するため、縦および横の試験を同時に行うことができる。
試験装置が小型になった。
試験装置を設置する場所がいらなくなった。
【発明を実施するための最良の形態】
【０００８】本発明を実施するための最良の形態について説明する。
図１は、本発明の全体の構造を説明した斜視図である。
図２は、本発明の要部である、ハンドル伝達用ギヤ（３）、摩擦子回転同調用ギヤ（４）スプリング（５）、摩擦子（６）の関連をわかりやすく説明した斜視図である。
図３は、本発明の要部である、ハンドル伝達用ギヤ（３）、摩擦子回転同調用ギヤ（４）スプリング（５）、摩擦子（６）を組み立てた状態を説明した側面図である。
図４は、本発明の使用状態を示した斜視図である。
図５は、本発明の使用状態を底面から見た状態を示した斜視図である。
図６は、本発明の使用状態を示した斜視図である。
図７は、本発明の使用状態を示した斜視図である。
図８は、本発明の使用状態を示した側面図である。
図９は、本発明の使用状態を底面から見た状態を示した斜視図である。
簡易摩擦染色堅牢度試験装置は、現場での作業性を考慮し、小型化をするために、形状を円形にしたものである。
本発明は、ハンドル（１）、カウンター（２）、ハンドル伝達用ギヤ（３）、摩擦子回転同調用ギヤ（４）、スプリング（５）、摩擦子（６）、ケース（７）、試験片台（８）、耐水研磨紙（９）で構成した。
本発明を使うときは、摩擦子（６）と耐水研磨紙（９）、試験台（８）の間に試験片（１０）を置いて、ハンドル（１）を回転させる。
摩擦子（６）が試験片（１０）に対して、円運動をして摩擦するため、縦および横の試験を同時に行うことができる。
本発明の簡易摩擦染色堅牢度試験装置は、水平運動を円運動に変えることにより、摩擦子（６）が半径１．５９ｃｍの円周を一周すると、移動距離は１０ｃｍになる。
回転数は、カウンター（２）で計測できる。
【図面の簡単な説明】
【０００９】
【図１】本発明の構造を説明した斜視図
【図２】本発明のハンドル伝達用ギヤ、摩擦子回転同調用ギヤの要部を詳しく説明した斜視図
【図３】本発明のハンドル伝達用ギヤ、摩擦子回転同調用ギヤの要部の側面図
【図４】本発明の使用状態を示した斜視図
【図５】本発明の使用状態を底面から見た状態を示した斜視図
【図６】本発明の使用状態を示した斜視図
【図７】本発明の使用状態を示した斜視図
【図８】本発明の使用状態を示した側面図
【図９】本発明の使用状態を底面から見た状態を示した斜視図
【符号の説明】
【００１０】  １  ハンドル
２  カウンター
３  ハンドル伝達用ギヤ
４  摩擦子回転同調用ギヤ
５  スプリング
６  摩擦子
７  ケース
８  試験片台
９  耐水研磨紙
１０  試験片
【図１】
2009282002.tif 000003
【図２】
2009282002.tif 000004
【図３】
2009282002.tif 000005
【図４】
2009282002.tif 000006
【図５】
2009282002.tif 000007
【図６】
2009282002.tif 000008
【図７】
2009282002.tif 000009
【図８】
2009282002.tif 000010
【図９】
2009282002.tif 000011